(57)【要約】  移動電話機などの電子装置においてアラート信号を出力する方法は、装置のディスプレイ上に情報又は画像を含む画像を提示するステップ、装置内の着呼又はパラメータ値の状態変化のような、装置内のイベントを検出するステップ、ディスプレイ上において画像を歪ませて、装置のユーザにアラートを行うようにするステップ、を有する。画像に印加されるフィルタとしてこの歪みを提供することができ、それによって、画像の波模様化やセグメンテーションが得られるようになる。アラート信号プロファイルを提供する種々の歪み方法を種々のイベントに関連して用いることも可能であり、さらに、周波数の内容及び共時性に関して上記方法をオーディオアラート信号に相関づけるようにすることも可能である。
2010506317.tif 000002
【特許請求の範囲】
【請求項１】
電子装置においてアラート信号を提供する方法であって、
画像を前記電子装置のディスプレイ上に提示するステップと、
前記電子装置におけるイベントを検出するステップと、
前記ディスプレイ上の前記画像を歪ませて、前記電子装置のユーザに対してアラートを行うステップと、
を有することを特徴とする方法。
【請求項２】
前記イベントのタイプを特定するステップと、
前記特定したイベントのタイプに関連づけられた記憶済みプロファイルに従って前記画像を歪ませるステップと、
を有することを特徴とする請求項１に記載の方法。
【請求項３】
前記イベントに関連づけられたサウンド信号を分析するステップと、
前記サウンド信号に応じて前記画像を歪ませるステップと、
を有することを特徴とする請求項１に記載の方法。
【請求項４】
前記イベントに関連づけられた前記サウンド信号のオーディオ周波数の内容を分析するステップと、
前記周波数の内容に応じて前記画像を歪ませるステップと、
を有することを特徴とする請求項３に記載の方法。
【請求項５】
前記画像を歪ませるステップは、
前記サウンド信号のオーディオ周波数と相関する空間周波数を有する振動を前記画像に与えるステップを有することを特徴とする請求項４に記載の方法。
【請求項６】
前記イベントに関連づけられた前記サウンド信号のオーディオ周波数の内容を分析して、低周波域と高周波域とにおけるトーンの存在を特定するステップと、
前記低周波域におけるトーンに対する低空間周波数、及び、前記高周波域におけるトーンに対する高空間周波数を用いて、前記画像を歪ませるステップと、
を有することを特徴とする請求項３に記載の方法。
【請求項７】
前記画像を歪ませるステップは、
前記提示された画像上にわたって印加される歪みフィルタとして、前記提示された画像の振動又はセグメンテーションを提供するステップを含むことを特徴とする請求項１に記載の方法。
【請求項８】
前記イベントは、着呼又は着信メッセージの受信であることを特徴とする請求項１に記載の方法。
【請求項９】
前記イベントは、前記電子装置で行われるゲームのコンピュータゲームイベントであることを特徴とする請求項１に記載の方法。
【請求項１０】
前記イベントは、前記電子装置におけるパラメータの状態変化であることを特徴とする請求項１に記載の方法。
【請求項１１】
前記イベントは、アラームであることを特徴とする請求項１に記載の方法。
【請求項１２】
前記電子装置は移動電話機であることを特徴とする請求項１に記載の方法。
【発明の詳細な説明】
【技術分野】
【０００１】
本発明は、電子装置においてアラート信号を出力する方法に関する。すなわち、装置においてイベントが生じたり、装置によってイベントが検出されたりしたことを電子装置のユーザに知らせることを目的として何らかの形の信号を出力する方法に関する。ここで、電子装置とは、ハイファイ機器、デジタルカメラ、コンピュータ等の、上記のようなアラート信号が有用となる任意のものである。ただし、本明細書では移動電話機のような通信端末に関連づけて本発明を説明する。本発明は、グラフィックユーザインタフェースを利用するものであり、着呼のようなイベントが生じたとき、このグラフィックユーザインタフェースにおいて提示される画像が歪められて、ユーザに対する警告が行われる。
【背景技術】
【０００２】
無線通信トランシーバを含む移動電話機やコンピュータのような電子装置には一般に、キー、ボタンの形のユーザ入力インタフェース並びに１以上のディスプレイの形のユーザ出力インタフェースの双方が含まれている。スピーカ及びマイクロホンによるオーディオインタフェースも通常含まれている。直接ユーザインタラクションを行うことなくイベントが生じ得る電子装置において何らかのアラート信号を出力し、ユーザの注意をひくようにする必要がある場合が多い。最も一般的な例はおそらく、従来の電話で使用される伝統的なアラートであろう。電話に着信があると、電話がトリガされて、音響アラート信号を音として発することになる。もともとのアラート信号はベル音であったが、現在の電話機、特に移動電話機では、さまざまな種類のサウンド信号の生成が可能になっている。ただし目的は同じである。すなわちオーディオアラート信号を出力することが目的である。別のオプションとして、アラート信号の無音の形としてバイブレーションの利用があり、移動電話で広く用いられている。
【０００３】
今日の多くの電子装置はユーザへの情報提示用のディスプレイを有する。このため、追加的に又はオプションとして、アラート信号をビジュアル信号として提供することも可能である。１つの方法として、「スーザンから電話です」、「メッセージを受信しました」、「バッテリが少なくなっています」、「メモリがいっぱいです」といった対象のイベントを明示するテキストを単に提示する方法がある。あるいは、対象イベントを示す画像を提示するものもある。アラート信号に対応して、このような画像は、そばに電話が付されたスーザンの写真、受信したメッセージを示す手紙の画像、空のバッテリを表すシンボルの点滅、ディスケットのアイコンの点滅などで示される。
【０００４】
ビジュアルアラート信号が使用される時、ディスプレイに現在提示されている内容や情報が、部分的又は全体的に隠れてしまう。これは、場合によっては、ユーザがディスプレイ上でテキストを読んだりゲームを行っていたりするような場合、ユーザにとって迷惑になる場合がある。
【０００５】
本発明の一般的な目的は、電子装置においてイベントが生じたこと又は電子装置によってイベントが検出されたことを電子装置のユーザに知らせるための解決方法を提供することである。
【発明の概要】
【０００６】
第１の側面によれば、上記目的は、電子装置においてアラート信号を出力する方法であって、
画像を前記電子装置のディスプレイ上に提示するステップと、
前記電子装置におけるイベントを検出するステップと、
前記ディスプレイ上の前記画像を歪ませて、前記電子装置のユーザに対してアラートを行うステップと、
を有することを特徴とする方法によって達成される。
【０００７】
１つの実施形態では、本方法は、
前記イベントのタイプを特定するステップと、
前記特定したイベントのタイプに関連づけられた記憶済みプロファイルに従って前記画像を歪ませるステップと、を有する。
【０００８】
１つの実施形態では、本方法は、
イベントに関連づけられたサウンド信号を分析するステップと、
上記サウンド信号に応じて画像を歪ませるステップと、
を有する。
【０００９】
１つの実施形態では、本方法は、
前記イベントに関連づけられたサウンド信号を分析するステップと、
前記サウンド信号に応じて前記画像を歪ませるステップと、
を有する。
【００１０】
１つの実施形態では、画像を歪ませるステップは、
前記サウンド信号のオーディオ周波数と相関する空間周波数を有する振動を前記画像に与えるステップを含む。
【００１１】
１つの実施形態では、本方法は、
前記イベントに関連づけられた前記サウンド信号のオーディオ周波数の内容を分析して、低周波域と高周波域とにおけるトーンの存在を特定するステップと、
前記低周波域におけるトーンに対する低空間周波数、及び、前記高周波域におけるトーンに対する高空間周波数を用いて、前記画像を歪ませるステップと、
を有する。
【００１２】
１つの実施形態では、前記画像を歪ませるステップは、
前記提示された画像上にわたって印加される歪みフィルタとして、前記提示された画像の振動又はセグメンテーションを提供するステップを含むを含む。
【００１３】
１つの実施形態では、前記イベントは着呼又は着信メッセージの受信である。
【００１４】
１つの実施形態では、前記イベントは前記電子装置で行われるゲームのコンピュータゲームイベントである。
【００１５】
１つの実施形態では、前記イベントは前記電子装置におけるパラメータの状態変化である。
【００１６】
１つの実施形態ではイベントはアラームである。
【００１７】
１つの実施形態では電子装置は移動電話機である。
【００１８】
本発明の特徴及び効果は、添付図面を参照しながら行う以下の発明の詳細な説明及び好適な実施形態から明らかになる。
【図面の簡単な説明】
【００１９】
【図１】本発明の一実施形態に従って動作するように構成された移動電話機の形の電子機器を概略的に例示する図。
【図２】図１の電子装置の機能ブロックを概略的に例示する図。
【図３】選択可能なアイコンを含む移動電話機のディスプレイ上に提示するためのデスクトップの画像を概略的に例示する図。
【図４】低周波数による歪みを受けた場合の図３のデスクトップの画像を概略的に例示する図。
【図５】高周波数による歪みを受けた場合の図３のデスクトップの画像を概略的に例示する図。
【発明を実施するための形態】
【００２０】
本説明は、電子装置におけるイベント、又は、電子装置によって検出されたイベントの発生に応答してアラート信号を発するように構成された電子装置の分野に関する。既述したように、本発明を採用することができるのは、多くの様々な種類の電子装置である。これらの電子装置はすべてディスプレイを備えて構成されるものである。以降、移動通信に関して本発明を説明するが、その場合、電子装置とは移動電話機のような無線通信端末である。さらに、「を備えている（comprising）」又は「を備える（comprises）」という用語は、本明細書で用いられる場合、及び、特徴、要素、又はステップを含むものとして示される特許請求の範囲において用いられる場合、明確に記載されたもの以外の他の特徴、要素、又はステップの存在を排除するものではないことに注意すべきである。
【００２１】
以下、図面を参照しながら実施形態について説明する。
【００２２】
図１は典型的な移動電話機の形の電子装置の外観を例示する図である。この電子装置は本発明の実施形態を実現するように構成することができる。一方、図２は移動電話機の機能的特徴を概略的に例示するブロック図である。ここで、図２に示されている要素は必ずしも物理的に分割される必要はないという点、また、それらの要素については、その構造的配置構成ではなくむしろ機能的関係に主たる関心の対象があるという点に留意されたい。さらに、移動電話機の外観は、図１に示される形をとる必要はなく、これらの移動電話機はクラムシェル型、ジャックナイフ型等であってもよい。
【００２３】
移動電話機１０は、基地局３１との無線通信によって、あるいは、別の移動電話機との直接無線通信によって、セルラ無線通信ネットワーク３０におけるトランシーバとして動作するように構成される。無線通信ネットワーク３０はＧＳＭネットワークやＷＣＤＭＡ３Ｇネットワークなどであってもよい。さらに、移動電話機１０は、インターネット３２に接続されたアクセスポイント４０を介してＩＥＥＥ８０２．１１ＷＬＡＮにおいて動作するように構成された無線信号トランシーバを備えるようにしてもよい。
【００２４】
移動電話機１０は、追加的に又はオプションとして１組のキー１１及びタッチパネル式ディスプレイとを含む入力部を備えたユーザインタフェースを備える。ユーザインタフェースの出力部には、携帯電話ユーザへ情報を提示するためのディスプレイ１２が含まれる。音声通信を行うことを目的として、移動電話機１０はマイクロホン１３及びスピーカ１４を備える。スピーカ１４の外に、特に携帯電話のユーザへアラート信号を出力することを目的とするスピーカとして追加的なスピーカ（図示せず）を用いてもよい。別様に、又はさらに追加して、音楽のようなオーディオをユーザへ出力するためのスピーカが存在する。このスピーカは移動電話機と通信可能に接続可能なヘッドセット２２の形で通常提供される。移動電話機１０はまたデジタルカメラ１５を含むことも可能である。通常、カメラ１５は、ディスプレイ１２が配設されている場所の反対側に配置され、それによってディスプレイをビューアとして使用することも可能となる。この理由によって、カメラ１５は点線で図１に示されている。さらに、テレビ会議を目的とする別のカメラ（図示せず）をディスプレイと同じ側に設けるようにしてもよい。
【００２５】
図２はブロック図の形で移動電話機１０を示す。無線通信装置としての移動電話機１０の実際の機能は、本発明にとって特段重要なものというわけではないので、詳細な説明は行わない。無線ネットワーク又は無線端末間を往来する無線信号の送受信用として無線信号トランシーバ１９が含まれている。一例として、無線信号トランシーバ１９は、移動電話ネットワーク３０を介して通信信号を送受信するように構成されたアンテナ及び回路を含むものであってもよい。別の可能な追加の又は代替のトランシーバシステム１９は、直接ＷＬＡＮインターネット接続を介して、又は、ブルートゥースのような近距離通信用プロトコルを用いて無線信号を受信するように構成されたアンテナ及び回路を含むものであってもよい。無線トランシーバ１９はコントローラ１８と接続され、このコントローラ１８は、好適な実施形態では、関連付けられたメモリ空間と、処理ソフトウェアと、アプリケーションソフトウェアとを有するマイクロプロセッサシステムを表す。図２において中央要素として描かれているコントローラ１８は、通信セッションを制御するステップ並びにカメラ１５を制御するステップ及びユーザインタフェースを管理するステップなど、移動電話機の異なるタスクを実行する役割を果たす。ソケット１６もまたプラグ２１を用いてオーディオヘッドセット２２を接続することができる方法を示す一例として例示される。上記とは別に、ヘッドセットは、例えばブルートゥース接続などを用いて無線で接続することが可能である。バッテリ（図示せず）又は外部電源との接続部が通常含まれている。ＭＰ３プレイヤのようなメディア・プレイヤ２３も含まれる。メディア・プレイヤ２３は、装置１０内か、取り付け可能なメモリキャリア上かのいずれかのメディアファイルメモリ（図示せず）に記憶された記録済みメディアと、移動電話ネットワーク３０を介するか、放送ソースから得られるかの例えばストリーミングメディア信号などとして受信されるメディアとの双方のメディアを再生するように構成することができる。
【００２６】
電話機１０の動作中又はスタンバイモード時に異なるイベントが電話機において生じる場合がある。このようなイベントの例には、着呼又はメッセージの検出、電話機でプレイされるコンピュータゲームにおいて得点あるいは失点するポイントのようなゲームイベント、ユーザによって設定されるアラーム又はデジタルカレンダとリンクされたアラーム、バッテリの充電レベル又はメモリ占有度、音楽又はメディア・プレイヤによって再生される別のオーディオ等のような電話機におけるパラメータの状態変化、を含む。これらのイベントのうちの任意の１つのイベント又は別のイベントの場合、ユーザの注意を電話機へ引くためにアラート信号が生成される。いくつかのアラート信号の場合、所望の結果を得るには音響信号で十分である。例えば、着呼信号は通常そのようなものとしてすぐに理解され、ユーザがディスプレイ１２を見ることによって電話の発信者のチェックを望むのでなければ、呼出し音信号で十分である。さらに、アラート信号のいくつかは、特に、着呼やメッセージ信号及び低バッテリ信号が生じた場合などのような、ユーザが電話機を見ていないかもしれない場合に、電話機に対してユーザの注意をひくために用いるのが一般的である。そして、この理由によってアラート信号は可聴音にする場合が多い。しかし、サイレントモードが選択される場合も多く、このサイレントモードでは、ビジュアル信号やバイブレーションのような触覚信号だけが有効となるようにすべてのオーディオ信号が抑圧される。このようなビジュアル信号と触覚信号とをオーディオ信号と共に用いることも可能である。
【００２７】
本発明は新しいタイプのビジュアルアラート信号をもたらすものであり、このビジュアルアラート信号は、単独で又はオーディオ信号及び／又は触覚信号と組み合わせて使用することができる。この新規のアラート信号には、電話機のディスプレイ１２に提示される画像の歪みを提供するという特徴が含まれる。好適な実施形態では、画像の歪みは、ディスプレイ１２に現在示されている画像の上位においてフィルタとして機能するように構成される。好適には、２以上の異なるタイプの歪みプロファイルが電話機内のメモリ２０に記憶され、異なるイベントに関連づけられることが望ましい。このようにして、たとえサウンド、バイブレーション、イルミネーションのうちの２つのアラートがオフされても、どのタイプのイベントが電話機において生じたかを理解することは依然可能である。例えば、着呼とリンクされた１つの歪みプロファイル、着信メッセージとリンクされた別の歪みプロファイル、アラームとリンクされたさらに別の歪みプロファイル等が存在し得る。画像の歪みは静的なものであってもよいし、あるいは動的なものであってもよい。換言すれば、コントローラ１８によって検出された着呼は、コントローラ１８においてデジタル信号プロセッサをトリガして、現在示されている画像に対して画像の歪みを提供するようにすることができる。この歪みは動いているものではなく、単に提示されているアイテムの空間的配置にすぎない。上記とは別に、歪みプロファイルは画像の波形又はセグメント化のような図示の画像内の特に動きを含むものであってもよい。
【００２８】
一実施形態において、あるイベントの歪みプロファイルが、同じイベントとリンクされたオーディオアラート信号とメモリ２０の中でリンクされる。一例として、ある電話番号又はすべての着呼のいずれかに対してある呼出信号をメモリ２０の中で割り当てることが可能となる。コントローラ１８における信号分析器を用いて、オーディオ信号の周波数の内容が分析される。信号分析器は、例えば、このオーディオ信号を、低周波域、高周波域、及び可能な場合には１以上の中間周波域を含む、２以上の周波数帯域に、分類する。さらに、信号分析器は、歪みプロファイルにおいて用いるオーディオ周波数を空間周波数へ変換する。異なる周波数帯域によって様々な種類の歪みを生み出すことができる。上記とは別に、異なる周波数帯域は、関連付けられ、分析された音声信号のオーディオ周波数に依存する空間周波数によって提示画像の視覚的歪みを生み出すようにすることができる。一例として、関連付けられた音声信号内のある周波数帯域の範囲内の低周波域のトーンによって、結果として提示画像の波形を生じさせることが可能であり、この波形は大きな波のように見える所定の空間的周期を有しているのに対して、別のトーンで、より高い周波数帯域内のトーンは、結果として提示画像の波形を生じさせることが可能であり、この波形は提示画像の形で小さな波すなわちリップルのように見える所定の空間的周期を有することになる。関連付けられたオーディオ信号の周波数帯域に関係し、かつ、同周波数帯域と共時するこれら２つまたはそれ以上のエフェクトを組み合わせることによって、歪みプロファイルは音声信号を視覚化したものとして出現することになる。音声信号がかなり単純なものである限り、画像に印加される歪みプロファイルからこの音声信号を認識することも可能となる。オーディオ信号が増加する大きさ（すなわち増加する音声信号振幅）を有するある実施形態では、画像の歪みもまた増加することが望ましい。このような実施形態では、画像の歪みは、当初非常に弱い場合もあるが、次いで、連続的にか、段階的にかのいずれかの態様で、歪み振幅の最大レベルまで逐次増加することになる。
【００２９】
図３〜図５は、移動電話機に示される画像に印加される本発明の実施形態を概略的に例示する図である。図３は、確立された技術に従って各種サービス又は機能用メニューを個々に表す複数のアイコンを含むデスクトップの画像を示す図である。中央アイコンでハイライトが提供され、対応するメニュータイトル「Messaging」がディスプレイの最上部に示される。ナビゲーションキーを操作することでハイライトを動かすことができる。
【００３０】
図４は、図３に示されているものと同じデスクトップの画像を示す図であるが、低周波域の歪みプロファイルを用いて歪められている。低周波域の歪みプロファイルは、波模様の形で提示画像において空間的配置を生成する。この場合、歪みは静的なものであってもよい。すなわち、画像は実際には図４に示すように出現する。しかし、好適には、歪みは動的なものであることが望ましく、動いている波模様として出現することが望ましい。
【００３１】
図５は、図３及び図４に示すものと同じデスクトップの画像を示す図であるが、高周波域の歪みプロファイルを用いて歪められている。また高周波域の歪みプロファイルは波模様の形で提示される画像で空間的配置を生成することができる。しかし、図示の実施形態では、歪みは提示される画像のセグメンテーション又は壊変化（disintegration）となる。この歪みが図５に例示の時点まで進行したとき、画像の基本情報又は画像を特定することが困難になる場合がある。しかし、歪みを厳しいものにする必要はない。図４に示すように、この歪みは代わりに、情報又は画像を考え得る状態にそのまま放置しておく軽い歪みにすることができる。低周波域の歪みの場合のように、高周波域の歪みもまた静的な又は動的な歪みであってもよい。
【００３２】
非静的な歪みの場合、歪みは単に振動する必要があるだけではない。代替例として、歪みは表示面上を進行する波であってもよい。表示面上を進行する波形で表示面のすべてのセグメント内の歪みの強度すなわち振幅が増減するように考案することができる。図面では、図４と図５の両図においてこの増減を見ることができる。図４では低い空間周波数を有する歪みがディスプレイの左上コーナーへ向かってより強くなるのに対して、右下コーナーには影響はほとんど見られない。本実施形態では、低周波数歪みの強度は、表示面の両端にわたって斜めに進み、この結果ピーク強度は、左上から右下へ進行する。進行波としてこの逆もまた同様である。図５では、対応するピーク強度波は右下コーナーへ向かって進み、それによって右上コーナーはそれ以上歪みプロファイルによる影響を受けることはなくなる。
【００３３】
図４と図５に描かれている実施形態、並びに、該実施形態と関連して説明する別の実施形態は本発明の実行方法を示す単なる例であり、他の多くの歪みプロファイルが考えられる。少なくとも小さい強度の歪みに関する利点として、明らかに考え得るものであるが、アラート信号が、ディスプレイ上に現在示されている情報又は画像の明瞭な概観をそのまま提供するものとなるという点が挙げられる。さらに、異なるイベントに関連して、また、例えば異なる端末からの着信メッセージあるいは呼などに関連して異なる歪みプロファイルを自動的にか、手動かのいずれかの態様で定義することも可能である。したがって、実際にはディスプレイ上にイベントを明示することなく、特に異なるイベントに関連する一意のアラート信号を用いることができる。このことは、たとえ専用ユーザ以外の別の誰かがディスプレイを見ることがあっても高いレベルの秘密を保持することが可能であることを意味する。或る一定のイベントに関連づけられた音声信号の周波数の内容が分析され、歪みプロファイルが無音の音声信号又は無音でない音声信号と共時する対応する周波数スペクトルを用いるように構成される実施形態の場合、オーディオアラート信号と画像の歪みアラート信号との間における相関関係が達成され、この相関関係によって歪みアラート信号を認識する機能が高められる。さらに、表示される画像の最上部において歪みがフィルタとして印加され、かつ、画像の実際の内容を考慮する必要がないため、得られる実際のエフェクトに関して相対的に複雑さの少ない解決方法が得られることになる。
【００３４】
既述したように、電子装置がディスプレイを有し、かつ、ユーザの注意をひくことを目的としてアラート信号を利用するものであれば、本明細書において複数の異なる実施形態により説明したような本発明は、移動電話機内の別の電子装置においても採用することが可能である。したがって別のタイプの電子装置には、コンピュータ、メディア・プレイヤ、デジタルカメラ、ビデオレコーダ、電子センサ、インテリジェントホーム機器、ツール、計器等が含まれることになる。本発明の範囲は特許請求の範囲の記載によって限定される。
【図１】
2010506317.tif 000003
【図２】
2010506317.tif 000004
【図３】
2010506317.tif 000005
【図４】
2010506317.tif 000006
【図５】
2010506317.tif 000007
【手続補正書】
【提出日】平成20年8月5日(2008.8.5)
【手続補正１】
【補正対象書類名】特許請求の範囲
【補正対象項目名】全文
【補正方法】変更
【補正の内容】
【特許請求の範囲】
【請求項１】
電子装置においてアラート信号を提供する方法であって、
画像を前記電子装置のディスプレイ上に提示するステップと、
前記電子装置におけるイベントを検出するステップと、
前記イベントに関連づけられたサウンド信号のオーディオ周波数の内容を分析して、低周波域と高周波域とにおけるトーンの存在を特定するステップと、
前記低周波域におけるトーンに対する低空間周波数、及び、前記高周波域におけるトーンに対する高空間周波数を用いて、前記ディスプレイ上の前記画像を歪ませて、前記電子装置のユーザに対してアラートを行うステップと、
を有することを特徴とする方法。
【請求項２】
前記イベントのタイプを特定するステップと、
前記特定したイベントのタイプに関連づけられた記憶済みプロファイルに従って前記画像を歪ませるステップと、
を有することを特徴とする請求項１に記載の方法。
【請求項３】
前記イベントに関連づけられた前記サウンド信号のオーディオ周波数の内容を分析するステップと、
前記周波数の内容に応じて前記画像を歪ませるステップと、
を有することを特徴とする請求項１に記載の方法。
【請求項４】
前記画像を歪ませるステップは、
前記サウンド信号のオーディオ周波数と相関する空間周波数を有する振動を前記画像に与えるステップを有することを特徴とする請求項３に記載の方法。
【請求項５】
前記画像を歪ませるステップは、
前記提示された画像上にわたって印加される歪みフィルタとして、前記提示された画像の振動又はセグメンテーションを提供するステップを含むことを特徴とする請求項１に記載の方法。
【請求項６】
前記イベントは、着呼又は着信メッセージの受信であることを特徴とする請求項１に記載の方法。
【請求項７】
前記イベントは、前記電子装置で行われるゲームのコンピュータゲームイベントであることを特徴とする請求項１に記載の方法。
【請求項８】
前記イベントは、前記電子装置におけるパラメータの状態変化であることを特徴とする請求項１に記載の方法。
【請求項９】
前記イベントは、アラームであることを特徴とする請求項１に記載の方法。
【請求項１０】
前記電子装置は移動電話機であることを特徴とする請求項１に記載の方法。
【国際調査報告】
2010506317.tif 000008
2010506317.tif 000009
2010506317.tif 000010